(57)【要約】【課題】  本発明は、連結部材を目測で切断し、多少長さが異なるものが混在していても、方形を保ち、かつ、足踏みにより音のしない豪華な重厚感と、金属マットの機能性を兼ね備えたスノコ状床マット用連結部材固定方法、およびスノコ状床マット用連結部材固定装置を提供することを目的とする。【解決手段】  本発明のスノコ状床マットは、寒暖の差により連結部材に変形があっても、複数の連結部材の内の少なくとも一つが連結溝方向への移動ができないようにしているため、菱形に変形することがない。たとえば、前記桟部材どうしの連結は、桟部材の端部における連結部材が固定され、中側にある連結部材が固定されない。前記中側にある連結部材は、その長さが多少異なっていても、両端の連結部材が移動できないようになっているため、スノコ状床マットが変形しない。【選択図】    図１
2005230390.tif 000002
【特許請求の範囲】
【請求項１】
マット部材と、
前記マット部材を上部に嵌合する嵌合凹部と、側部に設けられた連結溝とが成形された桟部材と、
前記連結溝に嵌入させることにより、桟部材を互いに連結する複数の連結部材と、
を少なくとも備え、
前記マットが嵌合された桟部材を複数連結させて構成されるスノコ状床マット用連結部材固定方法において、
前記少なくとも一つの連結部材が前記桟部材に成形された連結溝に挿入される前および／または後に、前記連結溝方向に移動できないようにしたことを特徴とするスノコ状床マット用連結部材固定方法。
【請求項２】
マット部材と、
前記マット部材を上部に嵌合する嵌合凹部と、側部に設けられた連結溝とが成形された桟部材と、
前記連結溝に嵌入させることにより、桟部材を互いに連結する複数の連結部材と、
を少なくとも備え、
前記マットが嵌合された桟部材を複数連結させて構成されるスノコ状床マット用連結部材固定方法において、
前記少なくとも一つの連結部材が前記桟部材に成形された連結溝に挿入される前および／または後に、前記連結溝方向に移動できないように、前記桟部材を外部から変形させることを特徴とするスノコ状床マット用連結部材固定方法。
【請求項３】
マット部材と、
前記マット部材を上部に嵌合する嵌合凹部と、側部に設けられた連結溝とが成形された桟部材と、
前記連結溝に摺動自在に挿入された複数の連結部材と、
前記連結溝にネジ込まれたボルトと、
前記連結部材の少なくとも一つが板状部材からなり、前記ボルトの間に挟み込まれて、前記連結溝方向に移動できないようにするストッパー部材と、
から少なくとも構成されることを特徴とするスノコ状床マット用連結部材固定装置。
【請求項４】
前記ストッパー部材は、エンドプレートに成形されている突出部であることを特徴とする請求項３に記載されたスノコ状床マット用連結部材固定装置。
【請求項５】
前記ストッパー部材は、エンドプレートを前記桟部材に取り付けるネジであることを特徴とする請求項３に記載されたスノコ状床マット用連結部材固定装置。
【請求項６】
前記ストッパー部材は、エンドプレートであることを特徴とする請求項３に記載されたスノコ状床マット用連結部材固定装置。
【請求項７】
前記連結部材は、板状部材の両端が前記連結溝の断面形状とほぼ相似した形状であることを特徴とする請求項３から請求項６のいずれか１項に記載されたスノコ状床マット用連結部材固定装置。
【請求項８】
前記連結部材は、板状部材の一端が前記連結溝の断面形状とほぼ相似した形状であることを特徴とする請求項３から請求項６のいずれか１項に記載されたスノコ状床マット用連結部材固定装置。
【請求項９】
前記ボルトは、頭部に六角レンチ用の凹部を有するホロセットボルトであることを特徴とする請求項３から請求項８のいずれか１項に記載されたスノコ状床マット用連結部材固定装置。
【発明の詳細な説明】
【技術分野】
【０００１】
本発明は、スノコ状床マット用連結部材固定方法、およびスノコ状床マット用連結部材固定装置に関するものである。特に、本発明は、ホテルやビルのエントランスに敷くことにより、カーペットの豪華な重厚感と、金属マットの機能性を兼ね備え、かつ、排水性にも優れたスノコ状床マット用連結部材固定方法、およびスノコ状床マット用連結部材固定装置に関するものである。
【背景技術】
【０００２】
本出願人は、マットを取り付けた桟部材を連結部材で接続することにより、折り畳めるようにしたスノコ状床マットを数多く出願している。たとえば、前記スノコ状床マットは、靴で踏まれた際に靴底から拭い取った泥等が残り、この部分を通過した場合、綺麗な靴底であっても、その場で泥が付着し、他の箇所に汚れが広がる。
【０００３】
前記スノコ状床マットは、汚れが広がるのを防止するために、泥を水によって除去する際の汚水排水手段を備えている。前記排水手段を備えたスノコ状床マットは、たとえば、特願２００２−１４３２４６（特開２００３−３２５３０４公報）に記載されている。
【特許文献１】特開２００３−３２５３０４
【発明の開示】
【発明が解決しようとする課題】
【０００４】
スノコ状床マットは、連結部材に金属を使用すると、施工後に前記マットが踏まれる度に金属音が発生し、豪華な重厚感を有するマットとしての価値を下げていた。
【０００５】
前記連結部材に合成樹脂部材を使用すると、前記金属音がなく、滑らかな連結を実現するが、温度により大きな熱伸縮、および製造時における連結部材を切断する際の誤差に基づいて、方形の形状に緩みが出て、菱形になることがあった。前記合成樹脂部材からなる連結部材を使用したスノコ状床マットは、形状が崩れると、品質的に悪く、一流ビルでの使用ができないという問題があった。
【０００６】
豪華な重厚感を有するマットは、規格品ではなく、受注生産の場合が多く、高品質で早い納期が要求される。そこで、前記スノコ状床マットにおいて、連結部材を目測で切断しても、必ず方形が維持できるようにする必要がある。
【０００７】
以上のような課題を解決するために、本発明は、連結部材を目測で切断し、多少長さが異なるものが混在していても、方形を保ち、かつ、足踏みにより音のしない豪華な重厚感と、金属マットの機能性を兼ね備えたスノコ状床マット用連結部材固定方法、およびスノコ状床マット用連結部材固定装置を提供することを目的とする。
【課題を解決するための手段】
【０００８】
（第１発明）
第１発明のスノコ状床マット用連結部材固定方法は、マット部材と、前記マット部材を上部に嵌合する嵌合凹部と、側部に設けられた連結溝とが成形された桟部材と、前記連結溝に嵌入させることにより、桟部材を互いに連結する複数の連結部材と、を少なくとも備え、前記マットが嵌合された桟部材を複数連結させて構成されるものであり、前記少なくとも一つの連結部材が前記桟部材に成形された連結溝に挿入される前および／または後に、前記連結溝方向に移動できないようにしたことを特徴とする。
【０００９】
（第２発明）
第２発明のスノコ状床マット用連結部材固定方法は、マット部材と、前記マット部材を上部に嵌合する嵌合凹部と、側部に設けられた連結溝とが成形された桟部材と、前記連結溝に嵌入させることにより、桟部材を互いに連結する複数の連結部材と、を少なくとも備え、前記マットが嵌合された桟部材を複数連結させて構成されるものであり、前記少なくとも一つの連結部材が前記桟部材に成形された連結溝に挿入される前および／または後に、前記連結溝方向に移動できないように、前記桟部材を外部から変形させることを特徴とする。
【００１０】
（第３発明）
第３発明のスノコ状床マット用連結部材固定装置は、マット部材と、前記マット部材を上部に嵌合する嵌合凹部と、側部に設けられた連結溝とが成形された桟部材と、前記連結溝に摺動自在に挿入された複数の連結部材と、前記連結溝にネジ込まれたボルトと、前記連結部材の少なくとも一つが板状部材からなり、前記ボルトの間に挟み込まれて、前記連結溝方向に移動できないようにするストッパー部材と、から少なくとも構成されることを特徴とする。
【００１１】
（第４発明）
第４発明のスノコ状床マット用連結部材固定装置において、ストッパー部材は、エンドプレートに成形されている突出部であることを特徴とする。
【００１２】
（第５発明）
第５発明のスノコ状床マット用連結部材固定装置において、ストッパー部材は、エンドプレートを前記桟部材に取り付けるネジであることを特徴とする。
【００１３】
（第６発明）
第６発明のスノコ状床マット用連結部材固定装置において、ストッパー部材は、エンドプレートであることを特徴とする。
【００１４】
（第７発明）
第７発明のスノコ状床マット用連結部材固定装置において、連結部材は、板状部材の両端が前記連結溝の断面形状とほぼ相似した形状であることを特徴とする。
【００１５】
（第８発明）
第８発明のスノコ状床マット用連結部材固定装置において、連結部材は、板状部材の一端が前記連結溝の断面形状とほぼ相似した形状であることを特徴とする。
【００１６】
（第９発明）
第９発明のスノコ状床マット用連結部材固定装置において、ボルトは、頭部に六角レンチ用の凹部を有するホロセットボルトであることを特徴とする。
【発明の効果】
【００１７】
本発明によれば、桟部材の側部に設けられた連結溝内で、桟部材を互いに連結させる連結部材が寒暖の差による変形や前記連結部材の長さが多少異なっていても、他の少なくとも一つの連結部材の連結溝方向への移動をできないようにしているため、スノコ状床マットの変形を防止することができる。
【００１８】
本発明によれば、スノコ状床マットから金属音が発生せず、形が変形することもないので、カーペットの豪華な重厚感と金属マットの機能性を兼ね備え、ホテルやビルのエントランスに設置することができる。
【００１９】
本発明によれば、少なくとも一つの連結部材を連結溝内で移動できないようにホロセットボルトで所定の位置に固定できるため、スノコ状床マットの形状が変形して品質を悪くすることがない。
【発明を実施するための最良の形態】
【００２０】
（第１発明）
第１発明のスノコ状床マット用連結部材固定方法は、マット部材と、前記マット部材が嵌合凹部に嵌合された桟部材と、前記桟部材の側部に設けられた連結溝に嵌入され、前記桟部材どうしを互いに連結させる複数の連結部材とから少なくとも構成されている。
【００２１】
前記構成のスノコ状床マットは、寒暖の差により連結部材に変形があっても、複数の連結部材の内の少なくとも一つが連結溝方向への移動をできないようにしているため、菱形に変形することがない。たとえば、前記桟部材どうしの連結は、桟部材の端部における連結部材が固定され、中側にある連結部材が固定されない。前記中側にある連結部材は、その長さが多少異なっていても、両端の連結部材が移動できないようになっているため、スノコ状床マットが変形しない。
【００２２】
前記少なくとも一つの連結部材は、前記桟部材に成形された連結溝に挿入される前および／または後に、たとえば、ボルト等をセルフタッピィングにより螺合して、前記連結溝方向に移動できないようにしている。
【００２３】
（第２発明）
第２発明のスノコ状床マット用連結部材固定方法は、連結部材の固定方法が第１発明と異なっている。第２発明の連結部材固定方法は、前記桟部材の端部に設けられた少なくとも一つの連結部材が前記桟部材に成形された連結溝に挿入される前および／または後に、前記連結溝方向に移動できないように、前記桟部材を外部から変形させる。前記変形は、たとえば、前記桟部材の外部からポンチ等によって叩くことによって、前記連結溝に突起等を成形する。
【００２４】
前記桟部材は、予め所定位置を変形させる前に、中側の連結部材を挿入し、少なくとも一つの連結部材を挿入した後、前記少なくとも一つの連結部材が移動できないように変形させる。また、前記連結部材は、挿入された後、前記同様に、ポンチ等で前記桟部材に変形を加え、連結溝内の移動を防止することができる。
【００２５】
本発明は、前記少なくとも一つの端部に設けられた連結部材が桟部材の長さ方向に移動できないようにしているため、中側に挿入された他の連結部材が寒暖の温度差によって変形しても、スノコ状床マットが変形することがなくなった。また、前記固定された連結部材以外で、中側に挿入された連結部材は、切断する際に精密に寸法を合わせる必要もなくなった。すなわち、本発明のスノコ状床マットは、カーペットの豪華な重厚感と金属マットの機能性を兼ね備え、ホテルやビルのエントランスに設置するのに最適なものとなる。
【００２６】
（第３発明）
第３発明のスノコ状床マット用連結部材固定装置は、マット部材と、前記マット部材を上部に嵌合する嵌合凹部と、側部に設けられた連結溝とが成形された桟部材と、前記桟部材どうしを互いに連結する複数の連結部材と、板状部材からなり、前記連結溝に両端を摺動自在に挿入された少なくとも一つの端部に設けられた連結部材を固定する前記連結溝にネジ込まれたボルトと、前記少なくとも一つの連結部材を前記ボルトの間に挟み込み、前記連結溝方向に移動できないようにするストッパー部材と、から少なくとも構成されている。
【００２７】
マット部材を前記嵌合凹部に嵌合した桟部材は、側部に設けられた連結溝に、ボルトをセルフタッピィングによりネジ込み、所定位置で止める。次に、前記連結溝に少なくとも一つの連結部材を挿入した後、ストッパー部材は、前記連結溝に挿入される。前記少なくとも一つの端部に設けられた連結部材は、前記ボルトとストッパー部材の間において、連結溝方向に移動ができないようになる。
【００２８】
（第４発明）
第４発明のスノコ状床マット用連結部材固定装置において、ストッパー部材は、エンドプレートに成形されている突出部を利用している。少なくとも一つの端部に設けられた連結部材は、前記ボルトとエンドプレートに成形されている突出部との間において、連結溝方向に移動ができないようになっている。なお、前記エンドプレートは、桟部材に取り付けるための嵌合部を備えている。
【００２９】
（第５発明）
第５発明のスノコ状床マット用連結部材固定装置において、ストッパー部材は、エンドプレートを桟部材に取り付けるためのネジを利用している。前記ネジは、前記ボルトとの間において、少なくとも一つの端部に設けられた連結部材を連結溝方向に移動ができないようにするとともに、前記エンドプレートを前記桟部材に固定する。
【００３０】
（第６発明）
第６発明のスノコ状床マット用連結部材固定装置において、ストッパー部材は、エンドプレート自体を利用している。前記エンドプレートは、前記ボルトとの間において、少なくとも一つの端部に設けられた連結部材を連結溝方向に移動できないようにしている。前記エンドプレートは、第４発明と同様に、桟部材に取り付けるための嵌合部を備え、他のネジ等により固定される。
【００３１】
（第７発明）
第７発明のスノコ状床マット用連結部材固定装置において、少なくとも一つの端部に設けられた連結部材は、板状部材からなり、その両端が前記連結溝の断面形状とほぼ相似した形状である。すなわち、前記少なくとも一つの連結部材における両端は、断面がほぼ円形またはほぼ半円形に膨出している。前記ほぼ円形および半円形部分は、前記連結溝に挿入され、所定位置まで移動し易いようになっているとともに、スノコ状床マットの折り曲げが容易である。
【００３２】
（第８発明）
第８発明のスノコ状床マット用連結部材固定装置において、少なくとも一つの端部に設けられた連結部材は、板状部材からなり、その一端が前記連結溝の断面形状とほぼ相似した形状である点で、第７発明と異なっている。
【００３３】
（第９発明）
第９発明のスノコ状床マット用連結部材固定装置において、ボルトは、頭部に六角レンチ用の凹部を有する、いわゆる、ホロセットボルトである。前記ホロセットボルトは、その頭部にレンチを挿入し、セルフタッピングにより回転させ、連結溝の内部を移動させ、所定位置に固定する。
【００３４】
前記ホロセットボルトは、少なくとも一つの端部に設けられた連結部材が連結溝内を移動することがないため、他の連結部材の切断が精密でなくとも、スノコ状床マットが変形するようなことがない。なお、本明細書において、前記ホロセットボルトは、頭部にレンチによって回転できるものであり、多角形であれば、六角形に限定されない。
【実施例１】
【００３５】
図１は本発明の第１実施例で、スノコ状床マットにおける連結部材固定方法を説明するための斜視図である。図２は本発明の第１実施例で、スノコ状床マットにおける連結部材固定方法を説明するための側面図である。図１および図２において、スノコ状床マット１１は、桟部材１２と、マット部材１３と、前記複数の桟部材１２を連結する連結部材１４と、ボルト１５とから少なくとも構成されている。
【００３６】
桟部材１２は、内部に軽量化を図るための空洞部１２１と、前記空洞部１２１の上部にマット部材１３を抱持するマット部材抱持溝１２２と、側部１２３に成形された連結溝１２４と、前記空洞部１２１の下部に、たとえば、クッション材を嵌合させる溝１２５と、両端を塞ぐエンドプレート１２６と、前記エンドプレート１２６を止めるネジ１２７とから少なくとも構成されている。
【００３７】
前記マット部材１３は、通常、靴の底に付着する泥等を除去する合成樹脂製の毛等から構成され、前記マット部材抱持溝１２２に嵌合されている。連結溝１２４には、連結部材１４、１４１が摺動して挿入される。前記連結部材１４、１４１は、たとえば、両端に断面がほぼ円形または半円形の膨出部を有し、前記連結溝１２４内を摺動するとともに、スノコ状床マット１１が折り畳めるようになっている。
【００３８】
図１および図２において、少なくとも一端に断面ほぼ円形または半円形の膨出部を有している前記連結部材１４１は、前記連結溝１２４に挿入される。次に、ボルト１５（たとえば、頭部に六角形の凹部を有し、六角レンチにより回転させる、いわゆるホロセットボルト）は、前記連結溝１２４からセルフタッピィングによりネジ込まれる。
【００３９】
その後、他の連結部材１４は、桟部材１２の少なくとも一端から挿入される。前記桟部材１２の両端部は、エンドプレート１２６がネジ１２７により取り付けられる。前記ネジ１２７の先端部と、前記ボルト１５とは、前記連結部材１４を挟み込み、所定位置に固定する。
【００４０】
図３は本発明の第１実施例で、連結部材を桟部材の端部で固定している状態を説明するための図である。図３において、連結部材１４は、予めネジ込まれたボルト１５とエンドプレート１２６を桟部材１２の端部に取り付けるためのネジ１２７の先端部とによって所定位置に固定される。連結部材１４１は、切断する際に、その長さが異なり、ボルト１５との間に空間１４２ができても、スノコ状床マット１１を変形させない。
【００４１】
前記連結部材１４１の両端は、断面がほぼ円形または半円形とすることで、互いの桟部材１２を連結している。しかし、固定されている連結部材１４は、両端または一端に前記のような断面がほぼ円形または半円形にすることができる。また、前記固定されている連結部材１４は、両端または一端が板状であっても良い。
【実施例２】
【００４２】
図４は本発明の第２実施例で、桟部材の端部に取り付けるエンドプレートを説明するための図である。図４において、エンドプレート４６は、桟部材１２の空洞部１２１と嵌合する空洞嵌合部４６１と、連結溝１２４に挿入し、ストッパーの役を果たす挿入部材４６２と、前記桟部材１２にエンドプレート４６を固定する止めネジ４６３とから構成されている。
【００４３】
前記挿入部材４６２の先端部は、エンドプレート４６を桟部材１２に取り付ける際に、ボルト１５との間に連結部材１４を固定する。前記エンドプレート４６に一体成形された挿入部材４６２は、ネジ１２７をねじ込む必要がなくなるため、組み立てが簡単になる。
【実施例３】
【００４４】
図５は本発明の第３実施例で、桟部材の端部に取り付けるエンドプレートを説明するための図である。図５において、エンドプレート５６は、桟部材１２の空洞部１２１と嵌合する空洞嵌合部４６１と、前記桟部材１２にエンドプレート５６を固定する止めネジ４６３とから構成されている。
【００４５】
前記第３実施例は、第２実施例における挿入部材４６２が無い点で、第２実施例と異なっている。前記エンドプレート５６は、ボルト１５との間で連結部材１４を固定しているため、図３のネジ１２７および図４の挿入部材４６２の長さ分、前記ボルト１５を奥にネジ込む必要がないため、さらに、組み立てを短時間で行うことができる。
【産業上の利用可能性】
【００４６】
以上、本実施例を詳述したが、本発明は、前記本実施例に限定されるものではなく、特許請求の範囲に記載されている事項を逸脱することがなければ、種々の設計変更を行うことが可能である。たとえば、本発明の桟部材および連結部材は、アルミニウム、アルミニウム合金、その他の金属、あるいは合成樹脂部材から構成することができ、押し出しまたは引き抜き加工等の公知または周知の技術により成形できる。
【図面の簡単な説明】
【００４７】
【図１】本発明の第１実施例で、スノコ状床マットにおける連結部材固定方法を説明するための斜視図である。（実施例１）
【図２】図２は本発明の第１実施例で、スノコ状床マットにおける連結部材固定方法を説明するための側面図である。
【図３】本発明の第１実施例で、連結部材を桟部材の端部で固定している状態を説明するための図である。
【図４】本発明の第２実施例で、桟部材の端部に取り付けるエンドプレートを説明するための図である。（実施例２）
【図５】本発明の第３実施例で、桟部材の端部に取り付けるエンドプレートを説明するための図である。（実施例３）
【符号の説明】
【００４８】
１１・・・スノコ状床マット
１２・・・桟部材
１２１・・・空洞部
１２２・・・マット部材抱持溝
１２３・・・側部
１２４・・・連結溝
１２５・・・溝
１２６・・・エンドプレート
１２７・・・ネジ
１３・・・マット部材
１４・・・連結部材
１４１・・・連結部材
１５・・・ボルト
４６、５６・・・エンドプレート
４６１・・・空洞嵌合部
４６２・・・挿入部材
４６３・・・止めネジ
【図１】
2005230390.tif 000003
【図２】
2005230390.tif 000004
【図３】
2005230390.tif 000005
【図４】
2005230390.tif 000006
【図５】
2005230390.tif 000007